(57)【要約】【課題】汚物を凝固させ、抗菌効果及び消臭効果を有し、放射性物質を吸収する汚物処理剤を提供すること。合わせて、該汚物処理剤の活用方法を提供すること。【解決手段】重量比６０％以上のアクリル酸重合体ナトリウム塩架橋物と、重量比２０％以上の水酸化カルシウムと、重量比５％以上のケイ酸とを含み、粉末状であることを特徴とする、汚物処理剤を提供する。該汚物処理剤を防水性の袋体に収容して可搬とし、それを使用する汚物処理方法を示す。また、該汚物処理剤を活用する汚物処理用シートを提供する。【選択図】図１
2015160180.tif 000002
【特許請求の範囲】
【請求項１】
重量比６０％以上のアクリル酸重合体ナトリウム塩架橋物と、重量比２０％以上の水酸化カルシウムと、重量比５％以上のケイ酸とを含み、
粉末状であることを特徴とする、汚物処理剤。
【請求項２】
請求項１に記載の汚物処理剤を、防水性の袋体に収容したことを特徴とする、可搬汚物処理剤。
【請求項３】
３０ｇ〜１００ｇの前記汚物処理剤を、防水性の袋体に収容したことを特徴とする、請求項２に記載の可搬汚物処理剤。
【請求項４】
保護マスク及び保護手袋を着用し、請求項２又は３に記載の可搬汚物処理剤を汚物に振掛ける振掛行程と、
前記汚物の凝固後に前記汚物をヘラで集めて汚物袋に収容する収容行程とを含ことを特徴とする、汚物処理方法。
【請求項５】
前記振掛行程と前記収容行程との間に、汚物に水を振掛ける加水行程を含むことを特徴とする、請求項４に記載の汚物処理方法。
【請求項６】
前記収容行程の後に、前記汚物のあった場所に水酸化カルシウム飽和溶液を噴霧する清浄行程を含むことを特徴とする、請求項４又は５に記載の汚物処理方法。
【請求項７】
請求項１に記載の汚物処理剤を封入した通水性の袋体を内部に備えることを特徴とする、排尿具。
【請求項８】
一面の防水性シートと他面の通水性シートとの間に、請求項１に記載の汚物処理剤を把持させたことを特徴とする、汚物処理用シート。
【発明の詳細な説明】
【技術分野】
【０００１】
本発明は、糞尿、嘔吐物等の汚物を処理する汚物処理剤（特に、強アルカリ性に基づく抗菌性を有する汚物処理剤）、該汚物処理剤を可搬にしたもの、該汚物処理剤を用いる汚物処理方法、並びに該汚物処理剤を活用した排尿具及び汚物処理シートに関する。
【背景技術】
【０００２】
人又は動物の糞尿、嘔吐物、その他の排泄物、並びに、汚泥、廃油等の汚物を、公道、床面等から除去して廃棄することは必ずしも容易でない。（１）固形分と水分が混合しており収集が容易でないこと、（２）菌類が生息していたり臭気が発生したりして収集後の廃棄が制約されること、が主な理由である。
【０００３】
上記（１）の問題に対応するものとして、特許文献１には、清掃処理用凝固剤が開示されている。しかし、（２）の問題については、臭気を緩和するのみで完全に消臭するものではなく、また、菌類の問題に対応するものではない。菌類の問題に対応するためには、少なくとも１１以上のｐＨとなる強アルカリ性とすることが好ましいが、特許文献１にはそのような技術の開示はなされていない。
【０００４】
除菌消臭剤としては、次亜塩素酸を用いることが行われていた。しかし、次亜塩素酸は使用者にとって危険であり、また、布の床面の変色が発生していた。
【０００５】
更に、昨今、特に野生動物の糞尿に含まれる放射性物質の処理も望まれるが、この処理に対応する汚物処理剤は知られていない。
【先行技術文献】
【特許文献】
【０００６】
【特許文献１】特開平１０−２４４２４９号公報
【発明の概要】
【発明が解決しようとする課題】
【０００７】
本発明は、汚物を凝固させ、抗菌効果及び消臭効果を有し、放射性物質を吸収する汚物処理剤を提供することを課題とする。合わせて、該汚物処理剤の活用方法を提供する。
【課題を解決するための手段】
【０００８】
本発明の汚物処理剤は、
重量比６０％以上のアクリル酸重合体ナトリウム塩架橋物と、重量比２０％以上の水酸化カルシウムと、重量比５％以上のケイ酸とを含み、
粉末状であることを特徴とする。
【０００９】
凝固剤であるアクリル酸重合体ナトリウム塩架橋物と、抗菌消臭剤である水酸化カルシウムと、放射性セシウムを吸収するケイ酸とを、それらの効果が得られる比率で含有した粉末状の汚物処理剤である。
【００１０】
本発明の可搬汚物処理剤は、
前記汚物処理剤を、防水性の袋体に収容したことを特徴とする。
【００１１】
水分と反応する汚物処理剤を防水性の袋体に収容し、汚物処理の現場に運搬して振掛けて用いることを可能にする。
【００１２】
本発明の可搬汚物処理剤は、
３０ｇ〜１００ｇの前記汚物処理剤を、防水性の袋体に収容したことを特徴とする。
【００１３】
１回分の使用量に合わせて収容する。通常の嘔吐物であれば５０ｇ程度が好ましい。用途に依存して収容量を設計することができる。
【００１４】
本発明の汚物処理方法は、
保護マスク及び保護手袋を着用し、可搬汚物処理剤を汚物に振掛ける振掛行程と、
前記汚物の凝固後に前記汚物をヘラで集めて汚物袋に収容する収容行程とを含ことを特徴とする。
【００１５】
凝固させた汚物及び汚物処理に使用した器物を汚物袋に収容し、一括して廃棄することができる。
【００１６】
本発明の汚物処理方法は、
前記振掛行程と前記収容行程との間に、汚物に水を振掛ける加水行程を含むことを特徴とする。
【００１７】
汚物中の水分が少なく凝固が遅い場合には、水を振掛けて凝固を促進する。なお、「水」は水分を含むものであればよく、例えば消臭剤の溶液であってもよい。
【００１８】
本発明の汚物処理方法は、
前記収容行程の後に、前記汚物のあった場所に水酸化カルシウム飽和溶液を噴霧する清浄行程を含むことを特徴とする。
【００１９】
汚物中の菌類、臭源等が廃棄後にも公道、床面等に残存する場合に、それに対応する。
【００２０】
本発明の排尿具は、
汚物処理剤を封入した通水性の袋体を内部に備えることを特徴とする。
【００２１】
外出時においてトイレの使用が困難な場合に用いる排尿具が提供される。尿は、汚物処理剤によって除菌、消臭され、凝固する。
【００２２】
本発明の汚物処理用シートは、
一面の防水性シートと他面の通水性シートとの間に、汚物処理剤を把持させたことを特徴とする。
【００２３】
汚物の発生を予想し得る箇所に汚物処理用シートを備えることができる。通水性シートの側に発生した汚物が汚物処理剤によって処理される。防水性シートを越えて流出してしまうことがない。
【発明の効果】
【００２４】
本発明の汚物処理剤によれば、汚物を凝固させ、かつ、抗菌効果及び消臭効果を有する汚物処理剤が提供される。
【００２５】
本発明の可搬汚物処理剤、汚物処理方法、排尿具及び汚物処理シートによれば、該汚物処理剤の活用方法が提供される。
【図面の簡単な説明】
【００２６】
【図１】図１は、汚物処理方法の手順を示す図である。（実施例１）
【図２】図２は、排尿具を示す図である。（実施例３）
【図３】図３は、汚物処理用シートを示す図である。（実施例４）
【発明を実施するための形態】
【００２７】
以下、本発明の汚物処理方法を示す実施例１、汚物処理剤の効果を示す実施例２、排尿具を示す実施例３、汚物処理用シートを示す実施例４を説明する。
【実施例１】
【００２８】
図１は、汚物処理方法の手順を示す図である。この手順においては多様な汚物処理剤を用いることができるが、本実施例の汚物処理剤は、重量比７０％のアクリル酸重合体ナトリウム塩架橋物と、重量比２０％の水酸化カルシウムと、重量比５％のケイ酸と、重量比５％の水を含む粉末状のものとする。汚物処理剤は、汚物処理に用いる１回分の使用量が防水性の袋に収容されている。
【００２９】
汚物処理に当たり、まず、保護マスク、保護手袋を着用し（ステップＳ１）、袋を開封して汚物処理剤を汚物に振掛ける（ステップＳ２）。
【００３０】
汚物中の水分にアクリル酸重合体ナトリウム塩架橋物が反応し、汚物が凝固する。凝固が遅い場合には、汚物に水を振掛けて（ステップＳ３）凝固を促進することができる。
【００３１】
水酸化カルシウムが溶解して、汚物は、ｐＨ＝１２．５程度の強アルカリ性となる。これによって、汚物中の菌類が非生存継続環境にさらされて生存できない。菌によって発生する臭気が除去される。また、汚物中の酸性成分に起因する臭気も消される。
【００３２】
このように、強アルカリ性とすることで除菌消臭効果を得ることができる。強アルカリ性物質の中で、水酸化カルシウムは、使用者にとって危険でなく、かつ、床面の変色を発生しないものである。
【００３３】
ケイ酸によって、汚物中のセシウムが吸収される。セシウムは放射性のものである場合もある。
【００３４】
１５秒ほどで汚物が凝固する。（下記実験結果参照）
【００３５】
凝固した汚物は、ヘラ（スコップ等でもよい）を用いて、容易に汚物袋に収容する（ステップＳ４）ことができる。
【００３６】
以下、汚物のあった場所の清掃と、収容した汚物の廃棄を行う。清掃について説明する。
【００３７】
汚物のあった場所の清掃は、水酸化カルシウムの飽和溶液を振掛けて行う（ステップＳ５）。ｐＨ＝１２．５程度の強アルカリ性の液が振掛けられ、除菌、消臭される。水酸化カルシウムの飽和溶液は、ボトルやスプレー缶に入れて持参することができる。
【００３８】
振掛けられた飽和溶液及び汚物処理剤中の水酸化カルシウムが空気中の二酸化炭素と反応して、炭酸カルシウムが発生する。この炭酸カルシウムを清掃する（ステップＳ６）。水を掛けて洗い流す等のことを行えばよい。なお、炭酸カルシウムが残存しても問題ない場合には、清掃を行わなくてもよい。
【００３９】
水酸化カルシウムを用いるので、従来行われていたような次亜塩素酸アトリウム等を用いる場合に比して、床、絨毯等の脱色の発生が極めて少ない。
【００４０】
清掃後に、保護マスク、保護手袋を脱用する（ステップＳ７）。
【実施例２】
【００４１】
アクリル酸重合体ナトリウム塩架橋物及び水酸化カルシウムの配合比率の最適値を求めるため、成分比率を変化させて実験を行った。
【００４２】
実験は、離乳食の肉じゃが（市販のもの）８０ｇ、水２００ｇ及びｐＨ＝２に調整したクエン酸溶液１０ｇを混合した疑似嘔吐物を処理するものである。疑似嘔吐物のｐＨ値は４．５前後である。
【００４３】
疑似嘔吐物に汚物処理剤５０ｇを振り掛け、水２００ｇを注水し、注水してから凝固するまでの時間（固形化時間）及び凝固物のｐＨ値（固形化後ｐＨ値）を測定した。表１に実験結果を示す。なお、表１において、「Ａ」はアクリル酸重合体ナトリウム塩架橋物を、「Ｃ」は水酸化カルシウムを示す。アクリル酸重合体ナトリウム塩架橋物と水酸化カルシウムの成分比率の和は９５％以下であり、５％以上のケイ酸を含有させることができる。また、評価欄の「◎」は良好、「○」は良好に準じる、「△」は使用可、「×」は使用不適を示す。
【表１】
2015160180.tif 000003
【００４４】
固形化時間は短いほど好ましいが、２０秒未満であれば良好と、２０秒以上１分未満を使用可と、１分以上を使用不適と判断した。使用者に不要の待ち時間を与えないことを重視したものである。
【００４５】
食中毒細菌の増殖ｐＨは、多くの細菌は９程度までであるが、細菌によっては１１に及ぶ。このため、固形化後ｐＨ値は１１以上であることが必須である。１１未満を使用不適と、１１以上１２未満を使用可と、１２以上１３未満を良好に準じると、１３以上であれば良好と判断した。
【００４６】
実験番号３の成分比率のものが、固形化時間、固形化後ｐＨ値共に良好であった。これに対し、実験番号４の成分比率のものは、固形化時間に問題があった。しかし、使用者が固形化時間を待つことができる場合には、固形化後ｐＨ値（防臭効果）においては実験番号３の成分比率のものとほぼ同等である。また、実験番号２の成分比率のものは、固形化後ｐＨ値（防臭効果）において実験番号３の成分比率のものに対して劣っていた。実験番号１の成分比率のものは、固形化後ｐＨ値が７．３と低く防臭効果が期待できない。
【００４７】
以上の実験結果より、実験番号３及び４に相当するもの、すなわち、重量比６０％以上のアクリル酸重合体ナトリウム塩架橋物と、重量比２０％以上の水酸化カルシウムとを含むものが本発明の課題解決に適していると判断できた。
【実施例３】
【００４８】
図２は、排尿具を示す図である。（Ａ）に示すように、排尿具１は、防水袋２の中に通水性の袋体３が収容され、通水性の袋体３には汚物処理剤４が充填されている。防水袋２の開口端付近に紐５が付されている。
【００４９】
防水袋２の中に排尿すると、尿中の水分と汚物処理剤４とが反応して、尿が凝固し、除菌され、消臭される。
【００５０】
使用後は、（Ｂ）に示すように紐５によって防水袋２の内容物が防水袋２から排出されないようにし、可焼却ゴミとして廃棄することができる。なお、防水袋２は可焼却素材によるものとする。
【実施例４】
【００５１】
図３は、汚物処理用シートを示す図である。汚物処理シート６は、防水シート７と通水シート８との間に汚物処理剤９を把持させたものである。
【００５２】
汚物処理シート６の通水シート８側に汚物が発生すると、汚物中の水分と汚物処理剤９とが反応して、汚物が凝固し、除菌され、消臭される。また、凝固した汚物が防水シート７を越えて拡散してしまうことがない。衛生的な環境が実現される。
【００５３】
汚物処理シートは、生理時の血液を凝固・吸収する女性用の生理用品として、また、犬猫等の小動物の糞尿を凝固・吸収する小動物用糞尿処理マットとして、その他のものとして活用することができる。
【産業上の利用可能性】
【００５４】
汚物を凝固させ、かつ、抗菌効果及び消臭効果を有する汚物処理剤、及び該汚物処理剤の活用方法であり、多くの清掃業者や個人による利用が期待される。
【符号の説明】
【００５５】
１    排尿具
２    防水袋
３    通水性の袋体
４    汚物処理剤
５    紐
６    汚物処理用シート
７    防水性シート
８    通水性シート
９    汚物処理剤
【図１】
2015160180.tif 000004
【図２】
2015160180.tif 000005
【図３】
2015160180.tif 000006